(57)【特許請求の範囲】
【請求項１】
窓枠と、この窓枠に一端縁側が軸支されて他端縁側が開放可能に設けられた障子と、この障子を所定の開放角度に規制する開放角度規制手段とを備えた建具であって、
前記窓枠は、前記障子の他端縁を構成する框材に対応した枠材を有して構成され、この枠材には、前記障子を閉じた際に前記框材と見込み方向に重なる収容部と、この収容部の前記框材側に設けられた開口とが形成されており、
前記開放角度規制手段は、前記框材に一端が連結されるとともに前記枠材に他端が連結され、かつ中間部にヒンジが設けられた連結アームと、前記框材から前記枠材側に突出して設けられて前記連結アームの一端を軸支する突出片部と、前記枠材の収容部内に設けられて前記連結アームの他端を軸支する支持部とを有して構成され、
前記連結アームの一端側が前記枠材の開口を介して前記収容部から出没自在、かつ前記障子を閉じた際に当該連結アームが屈折されて前記収容部内に収容可能に構成され、
前記連結アームの一端は、前記框材の長手方向および見込み方向の両方向に沿った平面と所定傾斜角度だけ傾斜して連結され、
前記所定傾斜角度は、前記障子を前記所定の開放角度まで開放した状態において、前記枠材の長手方向および見込み方向の両方向に沿った平面と前記連結アームとが略平行になるように設定され、
前記突出片部は、前記框材の長手方向および見込み方向の両方向に沿った平面と前記所定傾斜角度だけ傾斜して突設されている建具。
【請求項２】
窓枠と、この窓枠に一端縁側が軸支されて他端縁側が開放可能に設けられた障子と、この障子を所定の開放角度に規制する開放角度規制手段とを備えた建具であって、
前記窓枠は、前記障子の他端縁を構成する框材に対応した枠材を有して構成され、この枠材には、前記障子を閉じた際に前記框材と見込み方向に重なる収容部と、この収容部の前記框材側に設けられた開口とが形成されており、
前記開放角度規制手段は、前記框材に一端が連結されるとともに前記枠材に他端が連結され、かつ中間部にヒンジが設けられた連結アームと、前記框材から前記枠材側に突出して設けられて前記連結アームの一端を軸支する突出片部と、前記枠材の収容部内に設けられて前記連結アームの他端を軸支する支持部とを有して構成され、
前記連結アームの一端側が前記枠材の開口を介して前記収容部から出没自在、かつ前記障子を閉じた際に当該連結アームが屈折されて前記収容部内に収容可能に構成され、
前記連結アームの一端は、前記框材の長手方向および見込み方向の両方向に沿った平面と所定傾斜角度だけ傾斜して連結され、
前記所定傾斜角度は、前記障子を前記所定の開放角度まで開放した状態において、前記枠材の長手方向および見込み方向の両方向に沿った平面と前記連結アームとが略平行になるように設定され、
前記支持部は、前記枠材の見付け方向に沿って設けられた軸支ピンと、この軸支ピンに設けられて前記連結アームの他端部を当該枠材の見付け方向内側に付勢する付勢手段とを有して構成され、
前記連結アームの他端部には、前記枠材の見付け方向外側に向かって折り曲げられた折曲部と、この折曲部に設けられて前記軸支ピンを挿通させる挿通孔とが形成され、
前記折曲部の折曲角度は、前記連結アームの一端における前記所定傾斜角度よりも小さく設定されている建具。
【請求項３】
窓枠と、この窓枠に一端縁側が軸支されて他端縁側が開放可能に設けられた障子と、この障子を所定の開放角度に規制する開放角度規制手段とを備えた建具であって、
前記窓枠は、前記障子の他端縁を構成する框材に対応した枠材を有して構成され、この枠材には、前記障子を閉じた際に前記框材と見込み方向に重なる収容部と、この収容部の前記框材側に設けられた開口とが形成されており、
前記開放角度規制手段は、前記框材に一端が連結されるとともに前記枠材に他端が連結され、かつ中間部にヒンジが設けられた連結アームと、前記框材から前記枠材側に突出して設けられて前記連結アームの一端を軸支する突出片部と、前記枠材の収容部内に設けられて前記連結アームの他端を軸支する支持部とを有して構成され、
前記連結アームの一端側が前記枠材の開口を介して前記収容部から出没自在、かつ前記障子を閉じた際に当該連結アームが屈折されて前記収容部内に収容可能に構成され、
前記窓枠の開口寸法は、前記障子の一端縁側から他端縁側に向かう方向に沿った第一方向、この第一方向に直交する第二方向ともに２００mmから３５０mmまでの範囲に設定されている建具。
【請求項４】
前記突出片部は、前記框材に取り付けられる取付部材に形成されており、
前記取付部材は、前記突出片部と、前記框材に固定される固定片部と、当該框材の室内面に沿って見付け方向内側に延びる延出片部とを有して形成され、
前記延出片部には、前記枠材に設けたラッチ受けに係合して前記障子の閉状態からの開放移動を規制するラッチ部材が取り付けられている請求項１から請求項３のいずれかに記載の建具。
【請求項５】
前記枠材は、前記収容部を形成するとともに前記框材と対向して設けられる枠対向面を有して形成され、この枠対向面を切り欠いて前記開口が形成されるとともに、この開口よりも見付け方向内側の位置において、当該枠対向面と前記框材とが気密材を介して当接可能に構成されている請求項１から請求項４のいずれかに記載の建具。
【発明の詳細な説明】
【技術分野】
【０００１】
本発明は、建具に関し、詳しくは、窓枠と、この窓枠に一端縁側が軸支されて他端縁側が開放可能に設けられた障子と、この障子の開放角度を規制する開放角度規制手段とを備えた建具に関する。
【背景技術】
【０００２】
従来、障子の一端縁側が窓枠に軸支されて他端縁側が開くように、回動開閉可能に支持された障子を有した建具（例えば、突き出し窓等）において、障子の開き角度を規制する規制装置が提案されている（例えば、特許文献１参照）。
特許文献１に記載された規制装置は、障子の他端縁である下框と窓枠の下枠とにそれぞれ固定されるブラケットと、これらの各ブラケットに軸支された回転ピースと、各回転ピースに両端部が軸支されかつ中折れ屈伸自在な連結アームとを備えて構成されている。この規制装置では、障子を閉じた状態で連結アームが屈折して下框と下枠の間に格納されるとともに、障子の開放操作に連動して連結アームが伸張して略一直線状になることで障子の開き角度が規制されるようになっている。また、下框および下枠の各々の長手方向に沿った回転軸によって回転ピースがブラケットに軸支されていることで、障子の開き角度に応じて下框と下枠との間に生じる相対回転角を回転ピースの回転により吸収し、連結アームの両端部軸支位置や中折れヒンジ部に余計な力が作用しないようになっている。
【０００３】
【特許文献１】特開平８−２６０７９８号公報
【発明の開示】
【発明が解決しようとする課題】
【０００４】
しかしながら、従来の建具における障子の開き角度規制装置では、障子を閉じた状態で連結アームが下框の下面と下枠の上面との対向面間に格納されるため、これらの対向面間の間隔として、一対のブラケットおよび回転ピースの高さ寸法と屈折した状態の連結アームの高さ寸法とを合わせただけの間隔寸法を確保しなければならず、下枠と下框とを合わせた部分の見付け寸法が大きくなるとともに、採光に有効なガラスパネル部分のサイズが小さくなることから、建具の意匠性および開放感が劣ってしまうという問題がある。
【０００５】
本発明の目的は、障子の開き角度規制手段を有した場合であっても意匠性および開放感を向上させることができる建具を提供することにある。
【課題を解決するための手段】
【０００６】
本発明の建具は、窓枠と、この窓枠に一端縁側が軸支されて他端縁側が開放可能に設けられた障子と、この障子を所定の開放角度に規制する開放角度規制手段とを備えた建具であって、前記窓枠は、前記障子の他端縁を構成する框材に対応した枠材を有して構成され、この枠材には、前記障子を閉じた際に前記框材と見込み方向に重なる収容部と、この収容部の前記框材側に設けられた開口とが形成されており、前記開放角度規制手段は、前記框材に一端が連結されるとともに前記枠材に他端が連結され、かつ中間部にヒンジが設けられた連結アームと、前記框材から前記枠材側に突出して設けられて前記連結アームの一端を軸支する突出片部と、前記枠材の収容部内に設けられて前記連結アームの他端を軸支する支持部とを有して構成され、前記連結アームの一端側が前記枠材の開口を介して前記収容部から出没自在、かつ前記障子を閉じた際に当該連結アームが屈折されて前記収容部内に収容可能に構成され、前記連結アームの一端は、前記框材の長手方向および見込み方向の両方向に沿った平面と所定傾斜角度だけ傾斜して連結され、前記所定傾斜角度は、前記障子を前記所定の開放角度まで開放した状態において、前記枠材の長手方向および見込み方向の両方向に沿った平面と前記連結アームとが略平行になるように設定され、前記支持部は、前記枠材の見付け方向に沿って設けられた軸支ピンと、この軸支ピンに設けられて前記連結アームの他端部を当該枠材の見付け方向内側に付勢する付勢手段とを有して構成され、前記連結アームの他端部には、前記枠材の見付け方向外側に向かって折り曲げられた折曲部と、この折曲部に設けられて前記軸支ピンを挿通させる挿通孔とが形成され、前記折曲部の折曲角度は、前記連結アームの一端における前記所定傾斜角度よりも小さく設定されていることを特徴とする。
【０００７】
ここで、本発明の建具としては、障子の一端縁側として上框側が窓枠上部に軸支されて障子の他端縁側としての下框側が室外側（または室内側）に開放可能に構成された突き出し窓であってもよく、この場合において、框材に対応した枠材としては下枠となる。また、障子の一端縁側として下框側が窓枠下部に軸支されて障子の他端縁側としての上框側が室外側（または室内側）に開放可能に構成された外倒し窓（内倒し窓）であってもよく、この場合において、框材に対応した枠材としては上枠となる。さらに、障子の一端縁側として左右一方の縦框側が窓枠に軸支されて障子の他端縁側としての他方の縦框側が室外側（または室内側）に開放可能に構成された開き窓であってもよく、この場合において、框材に対応した枠材としては他方側の縦枠となる。
【０００８】
以上の本発明によれば、枠材における収容部を框材と見込み方向に重なる位置に形成するとともに、連結アームの他端を枠材の収容部内の支持部で軸支し、障子を閉じた際に連結アームが収容部内に収容されるように開放角度規制手段を構成したことで、枠材と框材との対向面間に連結アーム等を格納するための大きな隙間を形成する必要がなく、枠材と框材とを合わせた部分の見付け寸法を必要最小限に抑えることができる。すなわち、枠材が上枠（下枠）で框材が上框（下框）であれば、それらを合わせた上下寸法を小さく抑えることができ、枠材が縦枠で框材が縦框であれば、それらを合わせた左右寸法を小さく抑えることができ、これにより框材内部に設けられるガラスパネル等の面材を相対的に大きくすることができる。従って、見付け寸法を小さく抑えた枠材や框材が目立たずに建具の意匠性を向上させるとともに、相対的に大きくされた面材による開口部分により採光が確保されて開放感を向上させることができる。
さらに、連結アームが枠材の収容部内に収容されることで、障子を閉じた状態において連結アームが露出せず、また障子を開放した状態においても連結アームの他端および支持部が枠材の収容部内に隠蔽されるため、開放角度規制手段が目立たず、意匠性を一層向上させることができる。
【０００９】
また、前記連結アームの一端は、前記框材の長手方向および見込み方向の両方向に沿った平面と所定傾斜角度だけ傾斜して連結され、前記所定傾斜角度は、前記障子を前記所定の開放角度まで開放した状態において、前記枠材の長手方向および見込み方向の両方向に沿った平面と前記連結アームとが略平行になるように設定されている。
ここで、枠材の長手方向および見込み方向の両方向に沿った平面とは、連結アームが下枠（または上枠）と下框（上框）とを連結して設けられている場合において、水平面を意味し、連結アームが下枠（または上枠）と下框（上框）とを連結して設けられている場合において、鉛直面を意味する。
このような構成によれば、障子を所定の開放角度まで開放した際に、連結アームが水平面や鉛直面と略平行になるように、連結アームの一端側と框材とが所定傾斜角度を有して連結されているので、障子の開放状態で連結アームにねじれが生じず、その両端部の軸支位置や中間部のヒンジに余計な力が作用することを防止することができる。
【００１０】
さらに、前記突出片部は、前記框材の長手方向および見込み方向の両方向に沿った平面と前記所定傾斜角度だけ傾斜して突設されている。
このような構成によれば、框材に対して突出片部を傾斜させて設けておくだけで、この突出片部にピン等を用いて連結アームの一端を軸支すれば、簡単な構造および取付方法により前述のように連結アームのねじれを防止することができる。
【００１１】
また、本発明の建具は、窓枠と、この窓枠に一端縁側が軸支されて他端縁側が開放可能に設けられた障子と、この障子を所定の開放角度に規制する開放角度規制手段とを備えた建具であって、前記窓枠は、前記障子の他端縁を構成する框材に対応した枠材を有して構成され、この枠材には、前記障子を閉じた際に前記框材と見込み方向に重なる収容部と、この収容部の前記框材側に設けられた開口とが形成されており、前記開放角度規制手段は、前記框材に一端が連結されるとともに前記枠材に他端が連結され、かつ中間部にヒンジが設けられた連結アームと、前記框材から前記枠材側に突出して設けられて前記連結アームの一端を軸支する突出片部と、前記枠材の収容部内に設けられて前記連結アームの他端を軸支する支持部とを有して構成され、前記連結アームの一端側が前記枠材の開口を介して前記収容部から出没自在、かつ前記障子を閉じた際に当該連結アームが屈折されて前記収容部内に収容可能に構成され、前記連結アームの一端は、前記框材の長手方向および見込み方向の両方向に沿った平面と所定傾斜角度だけ傾斜して連結され、前記所定傾斜角度は、前記障子を前記所定の開放角度まで開放した状態において、前記枠材の長手方向および見込み方向の両方向に沿った平面と前記連結アームとが略平行になるように設定され、前記支持部は、前記枠材の見付け方向に沿って設けられた軸支ピンと、この軸支ピンに設けられて前記連結アームの他端部を当該枠材の見付け方向内側に付勢する付勢手段とを有して構成され、前記連結アームの他端部には、前記枠材の見付け方向外側に向かって折り曲げられた折曲部と、この折曲部に設けられて前記軸支ピンを挿通させる挿通孔とが形成され、前記折曲部の折曲角度は、前記連結アームの一端における前記所定傾斜角度よりも小さく設定されているものでもよい。
このような構成によれば、前述のように連結アームの一端側を框材に所定傾斜角度を有して連結したことから、障子の閉鎖時に連結アームが枠材に対して見込み方向内側に移動して収容部内に収容される際に、連結アームと開口との干渉を避けて円滑な開閉操作を実現するとともに、屈折状態の連結アームの見付け寸法をコンパクトにすることができる。すなわち、障子の閉鎖時に連結アームが屈折しつつ枠材の見付け方向内側へ移動する際に、その他端部も支持部の付勢手段で付勢されて軸支ピンに沿って見付け方向内側へ移動することで、連結アームの屈折動作を円滑にすることができる。そして、連結アームの他端部に所定の折曲角度を有した折曲部を設けたことで、軸支ピンの高さ寸法を小さく抑えることができ、枠材の見付け寸法を小さくすることができる。
【００１２】
また、本発明の建具では、前記突出片部は、前記框材に取り付けられる取付部材に形成されており、前記取付部材は、前記突出片部と、前記框材に固定される固定片部と、当該框材の室内面に沿って見付け方向内側に延びる延出片部とを有して形成され、前記延出片部には、前記枠材に設けたラッチ受けに係合して前記障子の閉状態からの開放移動を規制するラッチ部材が取り付けられていることが好ましい。
このような構成によれば、取付部材に突出片部、固定片部および延出片部を設け、突出片部に連結アームの一端を連結するとともに、延出片部にラッチ部材を取り付けたことで、開放角度規制手段と施錠手段（ラッチ部材およびラッチ受け）とで取付部材を共用することができ、部品点数の削減および取付手間の低減を図ることができる。
【００１３】
また、本発明の建具では、前記枠材は、前記収容部を形成するとともに前記框材と対向して設けられる枠対向面を有して形成され、この枠対向面を切り欠いて前記開口が形成されるとともに、この開口よりも見付け方向内側の位置において、当該枠対向面と前記框材とが気密材を介して当接可能に構成されていることが好ましい。
このような構成によれば、枠材の開口よりも見込み方向内側の位置に枠材と框材との気密ラインを形成したことで、障子の閉鎖時において連結アームが気密材で隠蔽され、一層意匠性を向上させることができる。また、このような気密材を枠材の開口よりも見込み方向内側の位置に設けた場合でも、前述のように連結アームがコンパクトに収容されることから、枠材や框材の見付け寸法の拡大を防止して意匠性や開放感を確保することができる。
【００１４】
さらに、本発明の建具は、窓枠と、この窓枠に一端縁側が軸支されて他端縁側が開放可能に設けられた障子と、この障子を所定の開放角度に規制する開放角度規制手段とを備えた建具であって、前記窓枠は、前記障子の他端縁を構成する框材に対応した枠材を有して構成され、この枠材には、前記障子を閉じた際に前記框材と見込み方向に重なる収容部と、この収容部の前記框材側に設けられた開口とが形成されており、前記開放角度規制手段は、前記框材に一端が連結されるとともに前記枠材に他端が連結され、かつ中間部にヒンジが設けられた連結アームと、前記框材から前記枠材側に突出して設けられて前記連結アームの一端を軸支する突出片部と、前記枠材の収容部内に設けられて前記連結アームの他端を軸支する支持部とを有して構成され、前記連結アームの一端側が前記枠材の開口を介して前記収容部から出没自在、かつ前記障子を閉じた際に当該連結アームが屈折されて前記収容部内に収容可能に構成され、前記窓枠の開口寸法は、前記障子の一端縁側から他端縁側に向かう方向に沿った第一方向、この第一方向に直交する第二方向ともに２００mmから３５０mmまでの範囲に設定されているものでもよい。
このような構成によれば、比較的小型の建具において、前述のように、枠材や框材の見付け寸法を小さく抑えて意匠性が向上できるとともに、採光を確保して開放感が向上できる。
【発明を実施するための最良の形態】
【００１５】
以下、本発明の実施形態を図面に基づいて説明する。
図１は、本発明の実施形態に係る建具である突き出し窓１を示す縦断面図である。図２は、突き出し窓１の開放状態を示す縦断面図である。図３は、閉鎖状態における突き出し窓１の要部を示す縦断面図である。図４、図５は、それぞれ突き出し窓１に設けた障子の開放角度規制装置１０の閉鎖状態を示す平面図および側面図である。図６は、開放状態における突き出し窓１の要部を示す縦断面図である。図７は、障子の開放角度規制装置１０の開放状態を示す平面図である。図８(Ａ)，(Ｂ)は、障子の開放角度規制装置１０を構成する連結アーム１０Ａの動作を示す斜視図である。
【００１６】
図１および図２において、突き出し窓１は、窓枠２と、この窓枠２内部に開閉自在に支持された障子３とを有して構成されている。窓枠２は、上枠４、下枠５および左右の縦枠（不図示）を四周枠組みして形成され、建物の外壁開口部に固定されている。障子３は、上框６、下框７および左右の縦框（不図示）を四周框組みした内部に、面材であるガラスパネル（複層ガラス）８を嵌め込んで構成されており、当該障子３の一端縁である上框６が上枠４に蝶番４Ａで軸支され、他端縁である下框７側が室外側に開放可能に設けられている。そして、下框７と、この下框７に対応した枠材である下枠５との間には、障子３の開放角度を規制する開放角度規制装置（開放角度規制手段）１０が設けられ、この開放角度規制装置１０によって開放時の障子３が窓枠２に対して所定開放角度α（例えば、１５°）を維持できるようになっている。また、本実施形態の突き出し窓１において、窓枠２の開口寸法としては、障子３の一端縁側から他端縁側に向かう方向に沿った第一方向（上下方向）の製品寸法（高さ寸法Ｈ）が２００mmから３５０mmまでの範囲に設定され、図示を省略するが、第一方向に直交する第二方向（左右方向）の製品寸法（幅寸法）も２００mmから３５０mmまでの範囲に設定されている。
【００１７】
次に、図３および図６も参照して開放角度規制装置１０、下枠５および下框７の構造を詳しく説明する。
下枠５は、アルミ形材製の室内部材５Ａおよび室外部材５Ｂと、これらを連結する樹脂製の連結部材５Ｃと、室内部材５Ａの上側を覆って取り付けられる樹脂製のカバー部材５Ｄとを有して構成されている。室内部材５Ａは、その室内側および室外側にそれぞれ対向した立上り片５１，５２を有して形成され、室内側の立上り片５１の上端部から室内側に折れ曲がった部分、室外側の立上り片５２の基端部との間にカバー部材５Ｄが係止されている。室外部材５Ｂは、上面部５３を有して形成されており、この上面部５３の室外側端部位置には、第１気密材５Ｅが取り付けられている。カバー部材５Ｄは、上面部５４および前面部（枠対向面）５５を有して全体Ｌ字形に形成されており、前面部５５の上部室外側端部に気密材保持部５６が設けられ、この気密材保持部５６には、第２気密材５Ｆが取り付けられている。そして、下枠５には、室内部材５Ａの立上り片５１，５２と、カバー部材５Ｄの上面部５４および前面部５５とで囲まれた収容部としての中空部５７が形成されるとともに、この中空部５７のうち、開放角度規制装置１０に対応した位置には、立上り片５２および前面部５５を切り欠いて室外側（障子３の下框７側）に開口した開口部５８が形成されている。
【００１８】
下框７は、アルミ形材製の一体部材であり、室内側側面部７１、底面部７２および室外側側面部７３を有して上方に開口した全体略コ字形に形成されており、室内側側面部７１の上端と室外側側面部７３の上部から室内側に折り返した折返し片部７４との間に、ガスケット７Ａを介してガラスパネル８が挟持されている。また、室外側側面部７３の下側には、底面部７２よりも下方に延びて下枠５の第１気密材５Ｅに当接可能な当接片部７５が形成されており、これらの第１気密材５Ｅおよび当接片部７５によって室外側の気密ラインが形成されるようになっている。また、下框７は、障子３を閉じた状態で下枠５の中空部５７の見込み方向室外側に重なって位置する、すなわち室内側側面部７１の上端とカバー部材５Ｄの上面部５４とが略フラットに連続するようになっており、この状態において、下框７の室内側側面部７１に下枠５の第２気密材５Ｆが当接し、これにより室内側の気密ラインが形成されるようになっている。
【００１９】
開放角度規制装置１０は、それぞれ金属板材から形成された室外側アーム１１と室内側アーム１２とが連結された連結アーム１０Ａと、この連結アーム１０Ａの一端である室外側アーム１１の室外側端部を軸支して下框７に連結する取付部材２０と、連結アーム１０Ａの他端である室内側アーム１２の室内側端部を軸支して下枠５に連結する支持部３０とを有して構成されている。そして、連結アーム１０Ａは、その中間部において室外側アーム１１の室内側端部と室内側アーム１２の室外側端部とがヒンジ１３を介して互いに回動自在に連結され、中折れ可能に構成されている。取付部材２０は、下框７の室内側側面部７１から室内側（下枠５側）に突出して設けられた突出片部２１を有して形成され、この突出片部２１に室外側アーム１１の室外側端部がピン１４を介して軸支されている。一方、支持部３０は、下枠５の中空部５７内に設けられた軸支ピン３１を有して構成され、室内側アーム１２の室内側端部に形成した挿通孔１２Ａに軸支ピン３１を挿通することで、室内側アーム１２が軸支されている。このような連結アーム１０Ａは、図３に示すように障子３を閉じた状態において、室外側アーム１１および室内側アーム１２がヒンジ１３位置で屈折され、下枠５の中空部５７内に収容可能に構成されている。そして、図６に示すように障子３を開放すれば、連結アーム１０Ａが伸張し、その一端側である室外側アーム１１と室内側アーム１２の室外側端部とが下枠５の開口部５８を介して中空部５７から突出し、障子３を閉じれば、連結アーム１０Ａが中空部５７内に没入するようになっている。
【００２０】
次に、図４、図５および図７も参照して開放角度規制装置１０における取付部材２０および支持部３０の構造を詳しく説明する。
取付部材２０は、金属板材から折り曲げ加工により一体成形され、突出片部２１と、下框７の底面部７２に固定される固定片部２２と、下框７の室内側側面部７１に沿って上方（下框７の見付け方向内側）に延びる延出片部２３とを有して形成されている。突出片部２１は、下框７の長手方向および見込み方向の両方向に沿った平面（下框７の底面部７２と平行な面）と所定傾斜角度α’だけ傾斜して突設され、すなわち障子３を閉じた状態における水平面よりも室内側上方に向かって突設されている。そして、突出片部２１の所定傾斜角度α’は、障子３を所定開放角度αまで開放した状態において、下枠５の長手方向および見込み方向の両方向に沿った平面（水平面）と連結アーム１０Ａとが略平行になるように設定され、すなわち突出片部２１の所定傾斜角度α’と障子３の所定開放角度αとが略同一（α＝α’＝１５°）に設定されている。また、取付部材２０の固定片部２２は、下框７の室内側側面部７１を貫通して下框７内部に延びて配置され、下框７の底面部７２を貫通するビスによって固定されている。そして、取付部材２０の延出片部２３には、ラッチ部材４１が取り付けられている。
【００２１】
このラッチ部材４１は、突き出し窓１の錠装置４０を構成するもので、上下回動自在に支持されるとともに図示しないばねで下方に付勢された係合部材４２を有して構成されている。そして、下枠５におけるカバー部材５Ｄの上面部５４には、係合部材４２と係合可能なラッチ受け４３が取り付けられており、このラッチ受け４３に係合部材４２を係合させることで、障子３が閉鎖状態から開放不能に施錠されるようになっている。また、係合部材４２を上方に回動操作してラッチ受け４３との係合を解除することで、障子３が開放操作可能になり、開放された障子３を閉操作すれば、係合部材４２がラッチ受け４３の傾斜面に摺接して上方に回動移動されるとともに、閉鎖位置まで障子３を閉じることで係合部材４２が自動的にラッチ受け４３に係合して施錠されるようになっている。
【００２２】
一方、支持部３０は、下枠５の見付け方向（上下方向）に沿って設けられた頭付きの軸支ピン３１と、この軸支ピン３１の下端部を固定するとともに室外部材５Ｂの上面部５３に固定されるベース部３２と、軸支ピン３１に挿通されてベース部３２と室内側アーム１２の室内側端部との間に設けられた付勢手段としての円錐ばね３３とを有して構成されている。この円錐ばね３３は、軸支ピン３１に挿通された室内側アーム１２の室内側端部を下枠５の見付け方向内側（上方）に付勢するとともに、障子３の開放時において連結アーム１０Ａに押圧されて下方に収縮できるようになっている。また、軸支ピン３１に挿通される連結アーム１０Ａの他端部（室内側アーム１２の室内側端部）には、下枠５の見付け方向外側（下方）に向かって折り曲げられた折曲部１２Ｂが形成されており、この折曲部１２Ｂに挿通孔１２Ａが設けられている。そして、折曲部１２Ｂの折曲角度β（図６）は、突出片部２１の所定傾斜角度α’よりも小さく（例えば、β＝１０°）設定されている。
【００２３】
また、開放角度規制装置１０の連結アーム１０Ａは、図４、図５〜図７および図８に示すように、室外側アーム１１と室内側アーム１２とが略直角（９０°）となる状態で伸張角度が維持されるようになっている。
すなわち、室内側アーム１２のヒンジ１３側端部には、上向きに折り曲げられた当接部１２Ｃが形成されており、室外側アーム１１のヒンジ１３側側面部には、当接部１２Ｃに当接される被当接部１１Ａが形成され、図７および図８(Ｂ)に示すように、当接部１２Ｃと被当接部１１Ａとが当接した位置よりも連結アーム１０Ａが伸張不能になっている。また、室内側アーム１２のヒンジ１３側端部には、板ばね部材１５が取り付けられており、この板ばね部材１５の上面には、上方に突出した突起部１５Ａが形成されている。一方、室外側アーム１１のヒンジ１３側端部には、連結アーム１０Ａが略直角まで伸張した状態で板ばね部材１５の突起部１５Ａが嵌る係合孔１１Ｂが形成されており、この係合孔１１Ｂに突起部１５Ａが係合することで、連結アーム１０Ａの伸張状態が維持されるように構成されている。以上のように連結アーム１０Ａが略直角まで伸張した状態（開放規制位置）において、図６に示すように、障子３が所定開放角度αまで開放されるとともに、連結アーム１０Ａが水平面と略平行に位置するようになっている。
【００２４】
次に、障子３を所定の操作力で室内側に引くことで、突起部１５Ａと係合孔１１Ｂとの係合が外れ、連結アーム１０Ａが屈折動作可能に構成されている。この際、障子３の開放角度が所定開放角度αよりも小さくなるに従い、取付部材２０の突出片部２１先端が室内側上向きに移動することから、この突出片部２１の仰角に対応するとともに、室内側アーム１２の室内側端部が円錐ばね３３に付勢されることで、連結アーム１０Ａは、屈折しつつ室内側上方に移動することとなる。そして、障子３を閉鎖位置まで閉じれば、連結アーム１０Ａが屈折して下枠５の中空部５７に収容された状態（屈折収容位置）となる。この屈折収容位置において、室外側アーム１１および室内側アーム１２は、突出片部２１の所定傾斜角度α’に応じてヒンジ１３側端部が上方に傾斜するようになっている。このように屈折収容位置における室外側アーム１１および室内側アーム１２は、ヒンジ１３位置での互いの傾斜角度を合致させることができるとともに、室内側アーム１２の室内側端部である折曲部１２Ｂを折曲角度βだけ折り曲げたことによって、ヒンジ１３部分や突出片部２１側端部および軸支ピン３１側端部に余計な力が作用しないようになっている。また、軸支ピン３１の高さ寸法としては、下枠５の開口部５８に挿通して取り付けることから開口部５８の高さ寸法（例えば、１２．５mm）よりも小さく設定（例えば、１１．３mm）されている。このように設定した軸支ピン３１の高さ寸法と、突出片部２１の所定傾斜角度α’との関係から、室内側アーム１２の折曲部１２Ｂの折曲角度βを設定することで、室内側アーム１２と軸支ピン３１の頭との干渉を防止するとともに、開口部５８の高さ寸法（例えば、１２．５mm）の範囲でコンパクトに開放角度規制装置１０を収めることができるようになっている。
【００２５】
このような本実施形態によれば、以下のような効果がある。
（１）すなわち、開口寸法が比較的小さい突き出し窓１において、下枠５に形成した中空部５７と障子３の下框７とが見込み方向に重なるように構成され、障子３を閉じた状態で開放角度規制装置１０の連結アーム１０Ａが中空部５７内に収容されるので、下枠５の上面と下框７の下面との間に連結アーム等を格納するための大きな隙間を形成する必要がなく、下枠５および下框７の見付け寸法を必要最小限に抑えることができる。従って、見付け寸法を小さく抑えた下枠５や下框７が目立たずに突き出し窓１の意匠性を向上させるとともに、突き出し窓１におけるガラスパネル８のサイズを相対的に大きくすることができ、このガラスパネル８を介した採光が確保されて開放感を向上させることができる。
【００２６】
（２）さらに、連結アーム１０Ａが下枠５の中空部５７内に収容されることで、障子３を閉じた状態において連結アーム１０Ａが室内側および室外側に露出せず、開放角度規制装置１０を隠蔽することができる。また、障子３を開放した状態においても、連結アーム１０Ａの室内側端部および支持部３０が中空部５７内に隠蔽されるため、開放角度規制装置１０が目立たず、意匠性を一層向上させることができる。
【００２７】
（３）また、障子３の所定開放角度αと突出片部２１の所定傾斜角度α’とが略同一に設定され、障子３を所定開放角度αまで開放した際に、連結アーム１０Ａが水平面と略平行になるように開放角度規制装置１０が構成されているので、障子３の開放状態で連結アーム１０Ａにねじれが生じず、ヒンジ１３部分や突出片部２１側端部および軸支ピン３１側端部に余計な力が作用することを防止することができ、開放角度規制装置１０の耐久性を向上させることができる。
【００２８】
（４）また、突出片部２１の所定傾斜角度α’および室内側アーム１２の折曲部１２Ｂの折曲角度βを適切に設定したことで、障子３の閉操作時に連結アーム１０Ａと下枠５の開口部５８との干渉を避けて円滑な開閉操作を実現するとともに、屈折収容位置にある連結アーム１０Ａの見付け寸法をコンパクトにすることができる。従って、閉鎖位置までスムーズに障子３を閉じることができ、ラッチ部材４１の係合部材４２とラッチ受け４３とを確実に係合させて突き出し窓１を施錠することができる。
【００２９】
（５）また、下枠５の開口部５８よりも上側に第２気密材５Ｆが設けられ、この第２気密材５Ｆを下框７の室内側側面部７１に当接させて気密ラインが形成されるので、障子３の閉鎖時において連結アーム１０Ａが第２気密材５Ｆで室内側から隠蔽され、一層意匠性を向上させることができる。また、このような第２気密材５Ｆを開口部５８よりも上側に設けた場合でも、前述のように連結アーム１０Ａがコンパクトに収容されることから、下枠５の見付け寸法の拡大を防止して突き出し窓１の意匠性や開放感を確保することができる。
【００３０】
なお、本発明は、前記実施形態に限定されるものではなく、本発明の目的が達成できる他の構成等を含み、以下に示すような変形等も本発明に含まれる。
例えば、前記実施形態においては、突き出し窓１を例示して説明したが、本発明の建具としては、突き出し窓１に限らず、外倒し窓や内倒し窓、開き窓であってもよい。すなわち、障子の一端縁側としての下框側が窓枠下部に軸支されて障子の他端縁側としての上框側が室外側（または室内側）に開放可能に構成された外倒し窓（内倒し窓）において、開放角度規制手段は、上框に一端が連結されるとともに上枠に他端が連結された連結アームと、上框から上枠側に突出して設けられて連結アームの一端を軸支する突出片部と、上枠の収容部内に設けられて連結アームの他端を軸支する支持部とを有して構成されていればよい。また、障子の一端縁側として左右一方の縦框側が窓枠に軸支されて障子の他端縁側としての他方の縦框側が室外側（または室内側）に開放可能に構成された開き窓において、開放角度規制手段は、縦框に一端が連結されるとともに縦枠に他端が連結された連結アームと、縦框から縦枠側に突出して設けられて連結アームの一端を軸支する突出片部と、縦枠の収容部内に設けられて連結アームの他端を軸支する支持部とを有して構成されていればよい。
【００３１】
また、前記実施形態では、突き出し窓１における窓枠２の開口寸法として、高さ寸法Ｈおよび幅寸法ともに２００mmから３５０mmまでの範囲に設定されるとともに、障子３の所定開放角度αとして１５°に設定されていたが、これらの数値は例示であって、開口寸法や開放角度は、特に限定されず、任意の寸法や角度に設定されていればよい。
また、前記実施形態では、連結アーム１０Ａの一端である室外側端部を下框７の底面部７２に対して所定傾斜角度α’だけ傾斜させる構造として、室外側アーム１１の室外側端部を軸支する突出片部２１を傾斜させて突設した構造としたが、これに限らず、下框７の底面部７２と平行に突設した突出片部に対して、所定傾斜角度α’だけ室外側端部を折り曲げた室外側アームを連結した構造であってもよい。
また、前記実施形態では、障子３の所定開放角度αに対応した開放規制位置において、連結アーム１０Ａが略直角まで伸張する構成としたが、開放規制位置における連結アームの伸張状態は略直角に限らず、室内外のアームが略直線状になるまで伸張する構成でもよく、また室内外のアームが任意の鋭角または鈍角の形態になるまで伸張する構成でもよい。
【００３２】
また、前記実施形態では、下枠５に設ける収容部として、室内部材５Ａの立上り片５１，５２と、カバー部材５Ｄの上面部５４および前面部５５とで囲まれた中空部５７を適用したが、収容部としては、中空状の形態に限らず、例えば、室外側に開口したコ字形断面の内部に連結アーム１０Ａが収容されるような構成であってもよい。この際、収容部を構成する下枠としては、室内部材５Ａなどの下枠本体（アルミ形材）とカバー部材５Ｄとを組み合わせたものに限らず、下枠本体自体と一体に中空部やコ字形部が形成されていてもよい。
また、連結アームの他端を軸支する支持部３０の構成としては、前記実施形態で説明したものに限られず、連結アームの一端側の所定傾斜角度α’に応じて連結アームの他端側を上下移動自在に、かつ上方に付勢した状態で軸支できる構造であればよい。また、連結アームの他端部に設けた折曲部は、必須ではなく、省略してもよく、また所定の折曲角度を設ける場合であっても、その折曲角度βは、１０°に限定されるものではなく、適宜設定可能である。
【００３３】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００３４】
【図１】本発明の実施形態に係る建具を示す縦断面図である。
【図２】前記建具の開放状態を示す縦断面図である。
【図３】閉鎖状態における前記建具の要部を示す縦断面図である。
【図４】前記建具に設けた開放角度規制手段の閉鎖状態を示す平面図である。
【図５】前記開放角度規制手段の閉鎖状態を示す側面図である。
【図６】開放状態における前記建具の要部を示す縦断面図である。
【図７】前記開放角度規制手段の開放状態を示す平面図である。
【図８】(Ａ)，(Ｂ)は、前記開放角度規制手段を構成する連結アームの動作を示す斜視図である。
【符号の説明】
【００３５】
２…窓枠、３…障子、５…枠材である下枠、５Ｆ…第２気密材、７…框材である下框、１０…開放角度規制装置（開放角度規制手段）、１０Ａ…連結アーム、１２Ａ…挿通孔、１２Ｂ…折曲部、１３…ヒンジ、２０…取付部材、２１…突出片部、２２…固定片部、２３…延出片部、３０…支持部、３１…軸支ピン、３３…付勢手段である円錐ばね、４１…ラッチ部材、４３…ラッチ受け、５５…枠対向面である前面部、５７…収容部である中空部、５８…開口部。
【図１】
0004641509.tif 000002
【図２】
0004641509.tif 000003
【図３】
0004641509.tif 000004
【図４】
0004641509.tif 000005
【図５】
0004641509.tif 000006
【図６】
0004641509.tif 000007
【図７】
0004641509.tif 000008
【図８】
0004641509.tif 000009